(57)【要約】【課題】目視によってもロック機構を見破られることがなく、かつ部品点数を少なくしてコストを低減できるロック機構付トグルスイッチを提供する。【解決手段】  ロック機構付トグルスイッチにおいて、レバー４は常時下方に偏奇されており、膨大部４Ａを中心として制限された角度だけ回動するロック機構付トグルスイッチにおいて、レバー４の下端部４Ｂに形成されるロック用突起４Ｄ，４Ｄ′と、前記レバー４の下端部４Ｂをガイドするガイド穴１２Ａと、このガイド穴１２Ａの両側に形成されるロック用突起付受部１２Ｂ，１２Ｂ′とを具備するレバー４の下端部４Ｂのガイド板１２とを具備する。【選択図】図２
2007257927.tif 000002
【特許請求の範囲】
【請求項１】
レバーは常時下方に偏奇されており、膨大部を中心として制限された角度だけ回動するロック機構付トグルスイッチにおいて、
（ａ）レバーの下端部に形成されるロック用突起と、
（ｂ）前記レバーの下端部をガイドするガイド穴と、該ガイド穴の両側に形成されるロック用突起付受部とを具備するレバーの下端部のガイド板とを具備することを特徴とするロック機構付トグルスイッチ。
【請求項２】
請求項１記載のロック機構付トグルスイッチにおいて、前記ロック用突起付受部が前記ロック用突起と係合する１個の突起を有することを特徴とするロック機構付トグルスイッチ。
【請求項３】
請求項１記載のロック機構付トグルスイッチにおいて、前記ロック用突起付受部が前記ロック用突起と係合する２個の突起と該２個の突起の間に前記ロック用突起が係止される空間を有することを特徴とするロック機構付トグルスイッチ。
【請求項４】
請求項１、２又は３記載のロック機構付トグルスイッチにおいて、前記ガイド穴には前記レバーの下端部に形成される平面部がガイドされることを特徴とするロック機構付トグルスイッチ。
【発明の詳細な説明】
【技術分野】
【０００１】
本発明は、ロック機構付トグルスイッチに係り、特に、外観からは分からないようにスイッチの内部にロック機構が配置されたトグルスイッチに関するものである。
【背景技術】
【０００２】
従来のロック機構付トグルスイッチは、以下のような構成を有するものであった。
【０００３】
図６はかかる従来のロック機構付トグルスイッチの断面図、図７はそのトグルスイッチのロック機構の要部模式図である。
【０００４】
これらの図において、１０１はキャップ、１０２はスプリングピン、１０３はコイルバネ、１０４はロック座金、１０４Ａはロック用突起、１０５はレバー、１０６はブッシング、１０６Ａはロック用突起付受部、１０７はＯリング、１０８は六角ナット、１０９は内歯座金、１１０はＯリング、１１１はコイルバネ、１１２はケース、１１３は滑動棒、１１４は可動接点、１１５は固定接点、１１６はストップリング、１１７は小ネジ、１１８はケースカバー、１１９は可動接片、１２０は可動接片の受部材、１２１は鋲、１２２は端子である。
【０００５】
このように、ブッシング１０６の上端部にはロック用突起付受部１０６Ａが形成され、これに対応するように、ロック座金１０４の下端にロック用突起１０４Ａが設けられており、コイルバネ１０３に抗してキャップ１０１を引き上げてロック用突起１０４Ａをロック用突起付受部１０６Ａの左側に係止させると、図７に示すように、キャップ１０１が左側に倒れた状態にロックすることができる。また、右側にロックさせる場合には、コイルバネ１０３に抗してキャップ１０１を引き上げてロック用突起１０４Ａをロック用突起付受部１０６Ａの右側に係止させる。
【特許文献１】なし
【発明の開示】
【発明が解決しようとする課題】
【０００６】
しかしながら、上記した従来のロック機構付トグルスイッチは、ロック機構がブッシング１０６外にあり、ロックしていることが目視され、ロックを容易に外される恐れがあった。特に、ロック状態を秘密にしておくことが望ましい場合には問題があった。
【０００７】
また、部品点数も多くコスト高となるといった問題があった。すなわち、図６および図７においては、スプリングピン１０２、コイルバネ１０３、ロック座金１０４、ブッシング１０６、ストップリング１１６といった部品が必要となっており、コストが高くなるといった問題があった。
【０００８】
本発明は、上記問題点を除去し、目視によってもロック機構を見破られることがなく、かつ部品点数を少なくしてコストを低減できるロック機構付トグルスイッチを提供することを目的とする。
【課題を解決するための手段】
【０００９】
〔１〕レバー（４）は常時下方に偏奇されており、膨大部（４Ａ）を中心として制限された角度だけ回動するロック機構付トグルスイッチにおいて、レバー（４）の下端部（４Ｂ）に形成されるロック用突起（４Ｄ，４Ｄ′）と、前記レバー（４）の下端部（４Ｂ）をガイドするガイド穴（１２Ａ，３２Ａ）と、このガイド穴（１２Ａ，３２Ａ）の両側に形成されるロック用突起付受部（１２Ｂ，１２Ｂ′，３２Ｂ，３２Ｂ′，３２Ｃ，３２Ｃ′）とを具備するレバー（４）の下端部（４Ｂ）のガイド板（１２，３２）とを具備することを特徴とする。
【００１０】
〔２〕上記〔１〕記載のロック機構付トグルスイッチにおいて、前記ロック用突起付受部（１２Ｂ，１２Ｂ′）が前記ロック用突起（４Ｄ，４Ｄ′）と係合する単一の突起（１２Ｂ−１，１２Ｂ′−１）を有することを特徴とする。
【００１１】
〔３〕上記〔１〕記載のロック機構付トグルスイッチにおいて、前記ロック用突起付受部（３２Ｂ，３２Ｂ′，３２Ｃ，３２Ｃ′）が前記ロック用突起（４Ｄ，４Ｄ′）と係合する２個の突起（３２Ｂ−１，３２Ｂ′−１，３２Ｃ−１，３２Ｃ′−１）と該２個の突起の間に前記ロック用突起（４Ｄ，４Ｄ′）が係止される空間（３２Ｄ、３２Ｄ′）を有することを特徴とする。
【００１２】
〔４〕上記〔１〕、〔２〕又は〔３〕記載のロック機構付トグルスイッチにおいて、前記ガイド穴（１２Ａ，３２Ａ）には前記レバー（４）の下端部（４Ｂ）に形成される平面部（４Ｅ，４Ｅ′）がガイドされることを特徴とする。
【発明の効果】
【００１３】
本発明によれば、ロック機構は目視によっても見破られることがなく、かつ部品点数を少なくしてコストを低減できる。
【００１４】
また、レバーの下端部にはハッチ部（平面部）を有しているので、レバーの回転を規制することができる。
【００１５】
また、ロック用突起付受部の形状により、２位置でのロック、３位置でのロックのいずれの機能も果たすことができる。
【発明を実施するための最良の形態】
【００１６】
本発明のロック機構付トグルスイッチは、レバーは常時下方に偏奇されており、膨大部を中心として制限された角度だけ回動するロック機構付トグルスイッチにおいて、レバーの下端部に形成されるロック用突起と、前記レバーの下端部をガイドするガイド穴と、このガイド穴の両側に形成されるロック用突起付受部とを具備するレバーの下端部のガイド板とを具備する。
【実施例】
【００１７】
図１は本発明の実施例を示すロック機構付トグルスイッチの断面図、図２はそのトグルスイッチのロック機構の拡大説明図、図３はそのトグルスイッチのロック機構の部分の操作説明図である。
【００１８】
これらの図において、１はキャップ、２はキャップ内周面に形成される雌ネジ、３はレバーの外周面に形成される雄ネジ、４はレバーであり、このレバー４には、レバーの膨大部（枢支部）４Ａ、レバー４の下端部４Ｂに開口された凹部４Ｃ、レバー４の下端部４Ｂに形成されるロック用突起４Ｄ，４Ｄ′、レバー４のの下端部４Ｂに形成されるレバー４の回動方向を規制する外周面の一部が削り取られた平面部４Ｅ，４Ｅ′がそれぞれ形成されている。５はスリーブ、６は防水・防塵のためのＯリング、６Ａはレバー４の上下移動を許容する平板状のコイルスプリング、７は六角ナット、８は内歯座金、９はＯリング、１１は滑動棒、１２はガイド板であり、このガイド板１２には、レバー４のガイド穴１２Ａ、ロック用突起付受部１２Ｂ，１２Ｂ′がそれぞれ形成されている。１３はケース、１４は可動接点、１５は固定接点、１６はストップリング、１７は小ネジ、１８はケースカバー、１９は可動接片、２０は可動接片の受部材、２１は鋲、２２は端子である。
【００１９】
このトグルスイッチは、レバー４は平板状のコイルスプリング６Ａにより常時下方に偏奇されており、レバー４の操作により、膨大部４Ａを中心として制限された角度だけ回動する。そして、このロック機構付トグルスイッチのロック機構は、図２又は図３に示すように、レバーの膨大部（枢支部）４Ａの下端部４Ｂの両外側にはロック用突起４Ｄ，４Ｄ′が突設される。一方、ガイド板１２の中央にはレバー４の下端部４Ｂをガイドするガイド穴１２Ａが設けられるとともに、そのガイド穴１２Ａの両側であって、ガイド板１２の両外側にロック用突起付受部１２Ｂ，１２Ｂ′が形成されている。つまり、このロック用突起付受部１２Ｂ，１２Ｂ′には単一の突起１２Ｂ−１，１２Ｂ−１′が形成されている。
【００２０】
通常は、レバー４には下方向きの力が加わっている。そこで、レバー４が引き上げられて、図３（ａ）に示すように、その先端がロック用突起付受部１２Ｂを越えて左側に傾くと、ロック用突起４Ｄはロック用突起付受部１２ＢのＡ側面に接触してロックされる。次に、図３（ｂ）に示すように、レバー４が引き上げられて、レバー４がロック用突起付受部１２Ｂを越えて右側に移動した後、図３（ｃ）に示すように、右側に傾くと、ロック用突起４Ｄはロック用突起付受部１２ＢのＢ側面に接触してロックされる。
【００２１】
このように、この実施例では、左右の２位置（例えば、オン、オフロック）におけるロック機構として機能する。
【００２２】
図４は本発明の第２実施例を示すそのトグルスイッチのロック機構を示す拡大説明図、図５はそのトグルスイッチのロック機構の部分の操作説明図である。
【００２３】
この実施例においては、レバーの構造は図２及び図３と同様であるが、ガイド板におけるロック用突起付受部の構造が異なり、ロックは中立位置とその両側の３位置で行うことができるようにした。
【００２４】
このロック機構付トグルスイッチのロック機構は、図２又は図３と同様に、レバーの膨大部（枢支部）４Ａの下端部４Ｂの両外側にはロック用突起４Ｄ，４Ｄ′が突設される。一方、ガイド板３１の中央にはレバー４の下端部４Ｂをガイドするレバー４のガイド穴３１Ａが設けられるとともに、そのレバー４のガイド穴３１Ａの両側であって、レバーのガイド板３１の両外側にロック用突起付受部３２Ｂ，３２Ｂ′と３２Ｃ，３２Ｃ′が設けられる。つまり、このロック用突起付受部３２Ｂ，３２Ｂ′と３２Ｃ，３２Ｃ′には２個の突起３２Ｂ−１，３２Ｂ′−１，３２Ｃ−１，３２Ｃ′−１が形成されている。
【００２５】
これらのロック用突起付受部３２Ｂ，３２Ｂ′と３２Ｃ，３２Ｃ′の間にはロック用突起４Ｄ，４Ｄ′が停止できるような間隔を有する空間３２Ｄ，３２Ｄ′が設けられている。
【００２６】
したがって、レバー４が引き上げられて、図５（ａ）に示すように、その先端がロック用突起付受部３２Ｂを越えて左側に傾くと、ロック用突起４Ｄはロック用突起付受部３２ＢのＡ側面に接触してロックされる。次に、レバー４が引き上げられて、レバー４がロック用突起付受部３２Ｂを越えて中立状態に移動すると、図５（ｂ）に示すように、レバー４のロック用突起４Ｄはロック用突起付受部３２Ｂと３２Ｃとの間の空間３２Ｄにロックされる。次いで、レバー４が引き上げられて、レバー４がロック用突起付受部３２Ｃを越えて右側に傾くと、図５（ｃ）に示すように、ロック用突起４Ｄはロック用突起付受部３２ＣのＢ側面に接触してロックされる。
【００２７】
このように、この実施例では、左側−中立−右側の３位置（例えば、オン、オフ、オンの３位置）におけるロック機構として機能させることができる。
【００２８】
このように、本発明によれば、このロック機構付トグルスイッチのロック解除方法を認識している操作者のみが上記したロック解除操作を行うことができ、そのロック解除方法を知らない部外者のこのトグルスイッチの操作を阻止することができる。つまり、部外者の操作を禁じるロック機構付トグルスイッチとしてその効果は顕著である。
【００２９】
また、ロック機構をトグルスイッチ内に内蔵させることきるので、デザイン的にすっきりしたものとなる。
【００３０】
レバー、スリーブ、ガイド板等の形状変更によりロック機構を形成することができるので、従来方式に比べ部品点数減、組立工数の低減を図ることができる。
【００３１】
なお、本発明は上記実施例に限定されるものではなく、本発明の趣旨に基づき種々の変形が可能であり、これらを本発明の範囲から排除するものではない。
【産業上の利用可能性】
【００３２】
本発明のロック機構付トグルスイッチは、部外者の不用意な操作を禁止することができるトグルスイッチとして利用可能である。
【図面の簡単な説明】
【００３３】
【図１】本発明の実施例を示すロック機構付トグルスイッチの断面図である。
【図２】本発明の第１実施例を示すトグルスイッチのロック機構の拡大説明図である。
【図３】本発明の第１実施例を示すトグルスイッチのロック機構の部分の操作説明図である。
【図４】本発明の第２実施例を示すトグルスイッチのロック機構の拡大説明図である。
【図５】本発明の第２実施例を示すトグルスイッチのロック機構の部分の操作説明図である。
【図６】従来のロック機構付トグルスイッチの断面図である。
【図７】従来のロック機構付トグルスイッチのロック機構の要部模式図である。
【符号の説明】
【００３４】
１    キャップ
２    キャップ内周面に形成される雌ネジ
３    レバーの外周面に形成される雄ネジ
４    レバー
４Ａ    レバーの膨大部（枢支部）
４Ｂ    レバーの下端部
４Ｃ    レバーの下端部に開口された凹部
４Ｄ，４Ｄ′    レバーの下端部に形成されるロック用突起
４Ｅ，４Ｅ′    レバーの回動方向を規制する平面部
５    スリーブ
６    Ｏリング
６Ａ    コイルスプリング
７    六角ナット
８    内歯座金
９    Ｏリング
１１    滑動棒
１２，３１    ガイド板
１２Ａ，３１Ａ    レバーのガイド穴
１２Ｂ，１２Ｂ′，３２Ｂ，３２Ｂ′，３２Ｃ，３２Ｃ′    ロック用突起付受部
１２Ｂ−１，１２Ｂ′−１，３２Ｂ−１，３２Ｂ′−１，３２Ｃ−１，３２Ｃ′−１    突起
１３    ケース
１４    可動接点
１５    固定接点
１６    ストップリング
１７    小ネジ
１８    ケースカバー
１９    可動接片
２０    可動接片の受部材
２１    鋲
２２    端子
３２Ｄ，３２Ｄ′    空間
【図１】
2007257927.tif 000003
【図２】
2007257927.tif 000004
【図３】
2007257927.tif 000005
【図４】
2007257927.tif 000006
【図５】
2007257927.tif 000007
【図６】
2007257927.tif 000008
【図７】
2007257927.tif 000009